(57)【特許請求の範囲】
【請求項１】
暖房用の温水を生成する熱源機と、この熱源機から温水が供給されると共にこの供給された温水の放熱によって部屋を暖房する暖房器と、前記部屋の室温を検出する室温センサと、前記部屋に人間がいるか否かを人体の輻射熱を感知して検出する人体センサと、前記人体センサによって有人と検出された場合に設定温度を目標温度として出力すると共に、前記人体センサによって無人と検出された場合に設定温度より一定温度だけ低い温度を目標温度として出力する室温設定器とを備え、前記熱源機には、前記室温設定器からの出力を受けてその出力に応じた暖房条件でこの熱源機を運転する運転制御手段が設けられていることを特徴とする温水式暖房装置。
【発明の詳細な説明】
【０００１】
【発明の属する技術分野】
本発明は、温水を熱源機から暖房器に供給することによって部屋を暖房する温水式暖房装置に関するものである。
【０００２】
【従来の技術】
従来この種の温水式暖房装置においては、室温センサで室温を検出し、この室温が設定温度に一致するように制御していた。
【０００３】
【発明が解決しようとする課題】
しかしながら、これでは部屋に人間がいてもいなくても同じ能力で暖房運転が行われてしまうので、甚だ不経済であるという不都合があった。
【０００４】
また、経済効率を高めるため、部屋から最後の人間が出ていくときに暖房運転を止める方法も考えられるが、再び部屋に入ったときに部屋が冷えているため暖まるのに時間がかかってしまう難点がある。
【０００５】
本発明は、上記事情に鑑み、経済効率を低下させることなく部屋を速やかに暖めることが可能な温水式暖房装置を提供することを目的とする。
【０００６】
【課題を解決するための手段】
すなわち本発明による温水式暖房装置は、暖房用の温水を生成する熱源機と、この熱源機から温水が供給されると共にこの供給された温水の放熱によって部屋を暖房する暖房器と、前記部屋の室温を検出する室温センサと、前記部屋に人間がいるか否かを人体の輻射熱を感知して検出する人体センサと、前記人体センサによって有人と検出された場合に設定温度を目標温度として出力すると共に、前記人体センサによって無人と検出された場合に設定温度より一定温度だけ低い温度を目標温度として出力する室温設定器とを備え、前記熱源機には、前記室温設定器からの出力を受けてその出力に応じた暖房条件でこの熱源機を運転する運転制御手段としてのマイクロコンピュータが設けられていることを特徴とする。
【００１０】
【発明の実施の形態】
以下、本発明の実施形態を図面に基づいて説明する。
【００１１】
図１は本発明による温水式暖房装置の一実施形態を示す構成図である。
【００１２】
本発明による温水式暖房装置１は、図１に示すように、暖房用の温水を生成する熱源機２を有しており、熱源機２内にはマイクロコンピュータ(運転制御手段)３が組み込まれている。また、熱源機２はバーナ２ａ、循環ポンプ２ｂ等を具備しており、熱源機２には、それぞれ往き管６および戻り管７を介して３個の暖房器５が３つの部屋４に設置された形で接続されており、前記熱源機２で生成された温水が、前記各暖房器５に循環供給される構成である。また、前記各暖房器５にはそれぞれ室温設定器９が付設されており、各室温設定器９にはそれぞれ室温センサ１０および人体センサ１２が取り付けられている。この人体センサ１２は、人体の輻射熱を感知して人間がいるか否かを検出し、有人信号または無人信号を出力するものである。
【００１３】
本発明による温水式暖房装置１は以上のような構成を有するので、この温水式暖房装置１を用いて部屋４を暖める際には、その部屋４に設置された室温設定器９で所望の設定温度Ｔ１（例えば、Ｔ１＝２０℃）を入力した後、運転開始スイッチ（図示せず）をＯＮにする。
【００１４】
すると室温設定器９は、人体センサ１２から出力された信号が有人信号であるか無人信号であるかによって異なる目標温度Ｔ３を設定する。すなわち、有人信号を受信した場合は、その部屋４に暖房を望む人間がいるので、前記設定温度Ｔ１を目標温度Ｔ３とし、無人信号を受信した場合は、その部屋４に誰もいないので、経済性を優先して前記設定温度Ｔ１より一定温度（例えば、５℃）だけ低い温度を目標温度Ｔ３とする。
【００１５】
また室温設定器９は、前記設定温度Ｔ１と室温センサ１０によって検出された室温Ｔ２との温度差ΔＴ（＝Ｔ１−Ｔ２）を演算し、この温度差ΔＴを前記目標温度Ｔ３と共にマイクロコンピュータ３に出力する。
【００１６】
これを受けてマイクロコンピュータ３は、室温Ｔ２を目標温度Ｔ３に一致させるのに必要な暖房条件（温水の供給温度、供給量および熱源機の燃焼能力など）を決定し、この暖房条件に基づく運転指令を熱源機２に出力する。すると熱源機２は、バーナ２ａを所定の火力で燃焼させると共に、循環ポンプ２ｂを回転させることにより、所定温度の温水を所定量だけ暖房器５に供給する。その結果、暖房器５に供給された温水が放熱して部屋４が暖まり、室温Ｔ２は目標温度Ｔ３に達する。このとき、設定温度Ｔ１と室温Ｔ２との温度差ΔＴは経時的に小さくなるが、この温度差ΔＴに応じて、温水の供給温度、供給量または熱源機の燃焼能力を適宜変化させることにより、室温Ｔ２が目標温度Ｔ３に達するまでの時間を短縮することができる。
【００１７】
この際、部屋４に人間がいれば、目標温度Ｔ３は設定温度Ｔ１に等しくなっているので、室温Ｔ２は所望の設定温度Ｔ１になり、快適な暖房効果が得られる。一方、部屋４に人間がいなければ、目標温度Ｔ３は設定温度Ｔ１より低くなっているので、室温Ｔ２は設定温度Ｔ１より低くなり、その状態が維持されるため、それだけ経済効率が高くなる。
【００１８】
また、こうして設定温度Ｔ１より低い温度に維持された部屋４に人間が入った場合には、上述したとおり、人体センサ１２がそれを感知し、室温Ｔ２が設定温度Ｔ１になるように制御されるので、室温Ｔ２は所望の設定温度Ｔ１になる。このとき、設定温度Ｔ１より一定温度だけ低い温度から設定温度Ｔ１まで昇温させるだけで足りるので、暖房していない状態から昇温させる場合と比べて速やかに部屋４を暖めることが可能となる。
【００１９】
【発明の効果】
以上説明したように本発明によれば、暖房用の温水を生成する熱源機と、この熱源機から温水が供給されると共にこの供給された温水の放熱によって部屋を暖房する暖房器と、前記部屋の室温を検出する室温センサと、前記部屋に人間がいるか否かを人体の輻射熱を感知して検出する人体センサと、前記人体センサによって有人と検出された場合に設定温度を目標温度として出力すると共に、前記人体センサによって無人と検出された場合に設定温度より一定温度だけ低い温度を目標温度として出力する室温設定器とを備え、前記熱源機には、前記室温設定器からの出力を受けてその出力に応じた暖房条件でこの熱源機を運転する運転制御手段が設けられている構成であるから、暖房すべき部屋に人間がいるかいないかによって目標温度を自働的に変えることができることから、経済効率を低下させることなく部屋を速やかに暖めることが可能となるのは勿論のこと、人体センサによって無人と検出された場合には、設定温度より一定温度だけ低い温度を目標温度として熱源機が運転制御されるため、暖房の無駄が抑えられ、経済的な暖房運転を実行できる。
【００２０】
また本発明によれば、上記室温センサで検出された室温と上記室温設定器から出力された目標温度との温度差に応じて温水の供給温度を可変として構成したので、温水の供給温度を経時的に変えて暖房能力を調節することにより、室温が目標温度に達するまでの時間を短縮することができる。
【００２１】
また本発明によれば、上記室温センサで検出された室温と上記室温設定器から出力された目標温度との温度差に応じて温水の供給量を可変として構成したので、温水の供給量を経時的に変えて暖房能力を調節することにより、室温が目標温度に達するまでの時間を短縮することができる。
【００２２】
また本発明によれば、上記室温センサで検出された室温と上記室温設定器から出力された目標温度との温度差に応じて熱源機の燃焼能力を可変として構成したので、熱源機の燃焼能力を経時的に変えて暖房能力を調節することにより、室温が目標温度に達するまでの時間を短縮することができる。
【図面の簡単な説明】
【図１】本発明による温水式暖房装置の一実施形態を示す構成図である。
【符号の説明】
１……温水式暖房装置
２……熱源機
４……部屋
５……暖房器
９……室温設定器
１０……室温センサ
１２……人体センサ
Ｔ１……設定温度
Ｔ２……室温
Ｔ３……目標温度
ΔＴ……温度差
【図１】
0003634507.tif 000002